(57)【要約】本開示のある態様は、コンテンション・ベースのアップリンク・データ送信を管理するために技術に関する。ある態様によれば、基地局は、複数のユーザ機器（ＵＥ）に、共通のコンテンション・ベースのリソースを割り当てうる。複数のＵＥは、事前にスケジューリングすることなく、アップリンク・データを送信するために、コンテンション・ベースのリソースを利用しうる。これは、送信衝突の結果をもたらしうる。本開示のある態様は、どのＵＥがアップリンク送信を送ったのかを、ＵＥにシグナルされた１または複数の送信パラメータに基づいて判定するためのメカニズムを提供する。
2013526185.tif 000002
【特許請求の範囲】
【請求項１】
無線通信のための方法であって、
複数のユーザ機器（ＵＥ）による使用のために、共通のコンテンション・ベースのリソースを割り当てることと、
前記コンテンション・ベースのリソースで前記複数のＵＥから送られたアップリンク送信を区別するために使用される１または複数の送信パラメータをシグナルすることと、
前記コンテンション・ベースのリソースで送られた少なくとも１つのアップリンク送信を受信することと、
前記少なくとも１つのアップリンク送信を、どのＵＥが送ったのかを、前記１または複数の送信パラメータに基づいて判定することと、
を備える方法。
【請求項２】
前記判定することは、前記少なくとも１つのアップリンク送信をどのＵＥが送ったのかを、対応する受信電力に基づいて判定することを備える、請求項１に記載の方法。
【請求項３】
前記１または複数の送信パラメータは、前記複数のＵＥのうちの少なくとも１つのＵＥが、他のＵＥに対して高い電力で送信しなければならないことを示す、少なくとも１つの電力制御バイアスを備える、請求項２に記載の方法。
【請求項４】
前記複数のＵＥのうちの第１のサブセットを、高電力クラスに割り当てることと、
前記複数のＵＥのうちの第２のサブセットを、低電力クラスに割り当てることと、
をさらに備える請求項２に記載の方法。
【請求項５】
前記高電力クラスまたは前記低電力クラスの割り当ては、サービス品質（ＱｏＳ）に基づく、請求項４に記載の方法。
【請求項６】
前記１または複数の送信パラメータは、少なくとも１つの復調基準信号（ＤＭ−ＲＳ）シフトを備える、請求項１に記載の方法。
【請求項７】
前記ＤＭ−ＲＳシフトは、ＤＭ−ＲＳ信号のためのシグニチャ・シーケンスを備える、請求項６に記載の方法。
【請求項８】
前記シグナルすることは、ラジオ・リソース制御（ＲＲＣ）設定中に、前記１または複数の送信パラメータをシグナルすることを備える、請求項１に記載の方法。
【請求項９】
前記シグナルすることは、物理ダウンリンク制御チャネル（ＰＤＣＣＨ）において、前記コンテンション・ベースのリソースの割り当てを用いて、前記１または複数の送信パラメータを送信することを備える、請求項１に記載の方法。
【請求項１０】
前記割り当ては、前記コンテンション・ベースのリソースの継続的な割り当てを備える、請求項９に記載の方法。
【請求項１１】
無線通信のための装置であって、
複数のユーザ機器（ＵＥ）による使用のために、共通のコンテンション・ベースのリソースを割り当てるように構成されたスケジューラ構成要素と、
前記コンテンション・ベースのリソースで前記複数のＵＥから送られたアップリンク送信を区別するために使用される１または複数の送信パラメータをシグナルするように構成された送信機構成要素と、
前記コンテンション・ベースのリソースで送られた少なくとも１つのアップリンク送信を受信するように構成された受信機構成要素と、
前記少なくとも１つのアップリンク送信を、どのＵＥが送ったのかを、前記１または複数の送信パラメータに基づいて判定するように構成されたＵＥ区別構成要素と、
を備える装置。
【請求項１２】
前記ＵＥ区分構成要素はさらに、前記少なくとも１つのアップリンク送信をどのＵＥが送ったのかを、対応する受信電力に基づいて判定するように構成された、請求項１１に記載の装置。
【請求項１３】
前記１または複数の送信パラメータは、前記複数のＵＥのうちの少なくとも１つのＵＥが、他のＵＥに対して高い電力で送信しなければならないことを示す、少なくとも１つの電力制御バイアスを備える、請求項１２に記載の装置。
【請求項１４】
前記スケジューラ構成要素はさらに、
前記複数のＵＥのうちの第１のサブセットを、高電力クラスに割り当て、
前記複数のＵＥのうちの第２のサブセットを、低電力クラスに割り当てる、
ように構成された、請求項１２に記載の装置。
【請求項１５】
前記高電力クラスまたは前記低電力クラスの割り当ては、サービス品質（ＱｏＳ）に基づく、請求項１４に記載の装置。
【請求項１６】
前記１または複数の送信パラメータは、少なくとも１つの復調基準信号（ＤＭ−ＲＳ）シフトを備える、請求項１１に記載の装置。
【請求項１７】
前記ＤＭ−ＲＳシフトは、ＤＭ−ＲＳ信号のためのシグニチャ・シーケンスを備える、請求項１６に記載の装置。
【請求項１８】
前記送信機構成要素はさらに、ラジオ・リソース制御（ＲＲＣ）設定中に、前記１または複数の送信パラメータをシグナルするように構成された、請求項１１に記載の装置。
【請求項１９】
前記送信機構成要素はさらに、物理ダウンリンク制御チャネル（ＰＤＣＣＨ）において、前記コンテンション・ベースのリソースの割り当てを用いて、前記１または複数の送信パラメータを送信するように構成された、請求項１１に記載の装置。
【請求項２０】
前記割り当ては、前記コンテンション・ベースのリソースの継続的な割り当てを備える、請求項１９に記載の装置。
【請求項２１】
無線通信のための装置であって、
複数のユーザ機器（ＵＥ）による使用のために、共通のコンテンション・ベースのリソースを割り当てる手段と、
前記コンテンション・ベースのリソースで前記複数のＵＥから送られたアップリンク送信を区別するために使用される１または複数の送信パラメータをシグナルする手段と、
前記コンテンション・ベースのリソースで送られた少なくとも１つのアップリンク送信を受信する手段と、
前記少なくとも１つのアップリンク送信を、どのＵＥが送ったのかを、前記１または複数の送信パラメータに基づいて判定する手段と、
を備える装置。
【請求項２２】
前記判定する手段は、前記少なくとも１つのアップリンク送信をどのＵＥが送ったのかを、対応する受信電力に基づいて判定する手段を備える、請求項２１に記載の装置。
【請求項２３】
前記１または複数の送信パラメータは、前記複数のＵＥのうちの少なくとも１つのＵＥが、他のＵＥに対して高い電力で送信しなければならないことを示す、少なくとも１つの電力制御バイアスを備える、請求項２２に記載の装置。
【請求項２４】
前記複数のＵＥのうちの第１のサブセットを、高電力クラスに割り当てる手段と、
前記複数のＵＥのうちの第２のサブセットを、低電力クラスに割り当てる手段と、
をさらに備える請求項２２に記載の装置。
【請求項２５】
前記高電力クラスまたは前記低電力クラスの割り当ては、サービス品質（ＱｏＳ）に基づく、請求項２４に記載の装置。
【請求項２６】
前記１または複数の送信パラメータは、少なくとも１つの復調基準信号（ＤＭ−ＲＳ）シフトを備える、請求項２１に記載の装置。
【請求項２７】
前記ＤＭ−ＲＳシフトは、ＤＭ−ＲＳ信号のためのシグニチャ・シーケンスを備える、請求項２６に記載の装置。
【請求項２８】
前記シグナルする手段は、ラジオ・リソース制御（ＲＲＣ）設定中に、前記１または複数の送信パラメータをシグナルする手段を備える、請求項２１に記載の装置。
【請求項２９】
前記シグナルする手段は、物理ダウンリンク制御チャネル（ＰＤＣＣＨ）において、前記コンテンション・ベースのリソースの割り当てを用いて、前記１または複数の送信パラメータを送信する手段を備える、請求項２１に記載の装置。
【請求項３０】
前記割り当ては、前記コンテンション・ベースのリソースの継続的な割り当てを備える、請求項２９に記載の装置。
【請求項３１】
格納された命令群を有するコンピュータ読取可能な媒体を備えるコンピュータ・プログラム製品であって、
前記命令群は、
複数のユーザ機器（ＵＥ）による使用のために、共通のコンテンション・ベースのリソースを割り当てることと、
前記コンテンション・ベースのリソースで前記複数のＵＥから送られたアップリンク送信を区別するために使用される１または複数の送信パラメータをシグナルすることと、
前記コンテンション・ベースのリソースで送られた少なくとも１つのアップリンク送信を受信することと、
前記少なくとも１つのアップリンク送信を、どのＵＥが送ったのかを、前記１または複数の送信パラメータに基づいて判定することと、
のために１または複数のプロセッサによって実行可能である、コンピュータ・プログラム製品。
【請求項３２】
前記判定するための命令群は、前記少なくとも１つのアップリンク送信をどのＵＥが送ったのかを、対応する受信電力に基づいて判定するための命令群を備える、請求項３１に記載のコンピュータ・プログラム製品。
【請求項３３】
前記１または複数の送信パラメータは、前記複数のＵＥのうちの少なくとも１つのＵＥが、他のＵＥに対して高い電力で送信しなければならないことを示す、少なくとも１つの電力制御バイアスを備える、請求項３２に記載のコンピュータ・プログラム製品。
【請求項３４】
前記命令群はさらに、
前記複数のＵＥのうちの第１のサブセットを、高電力クラスに割り当てることと、
前記複数のＵＥのうちの第２のサブセットを、低電力クラスに割り当てることと、
のための命令群を備える、請求項３２に記載のコンピュータ・プログラム製品。
【請求項３５】
前記高電力クラスまたは前記低電力クラスの割り当ては、サービス品質（ＱｏＳ）に基づく、請求項３４に記載のコンピュータ・プログラム製品。
【請求項３６】
前記１または複数の送信パラメータは、少なくとも１つの復調基準信号（ＤＭ−ＲＳ）シフトを備える、請求項３１に記載のコンピュータ・プログラム製品。
【請求項３７】
前記ＤＭ−ＲＳシフトは、ＤＭ−ＲＳ信号のためのシグニチャ・シーケンスを備える、請求項３６に記載のコンピュータ・プログラム製品。
【請求項３８】
前記シグナルするための命令群は、ラジオ・リソース制御（ＲＲＣ）設定中に、前記１または複数の送信パラメータをシグナルするための命令群を備える、請求項３１に記載のコンピュータ・プログラム製品。
【請求項３９】
前記シグナルするための命令群は、物理ダウンリンク制御チャネル（ＰＤＣＣＨ）において、前記コンテンション・ベースのリソースの割り当てを用いて、前記１または複数の送信パラメータを送信するための命令群を備える、請求項３１に記載のコンピュータ・プログラム製品。
【請求項４０】
前記割り当ては、前記コンテンション・ベースのリソースの継続的な割り当てを備える、請求項３９に記載のコンピュータ・プログラム製品。
【発明の詳細な説明】
【優先権の主張】
【０００１】
本特許出願は、本特許出願の譲受人に譲渡され本明細書において参照によって明確に組み込まれ２０１０年４月２１日に出願された「コンテンション・ベースの無線送信のための方法および装置」（Method and Apparatus for Contention-Based Wireless Transmissions）と題された米国仮特許出願６１／３２６，５６９号の利益を主張する。
【技術分野】
【０００２】
本開示のある態様は、一般に、無線通信システムに関し、さらに詳しくは、コンテンション・ベースの無線送信を可能にするための方法に関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
通常、無線多元接続通信システムは、複数の無線端末のための通信を同時にサポートしうる。端末はおのおのの、順方向リンクおよび逆方向リンクによる送信を介して、１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力（ＳＩＳＯ）システム、複数入力単一出力（ＭＩＳＯ）システム、または複数入力複数出力（ＭＩＭＯ）システム等によって確立されうる。基地局は一般に、アップリンクとダウンリンクの送信が生じる時をスケジュールすることを担当する。スケジューリングを用いることは、シグナリング・オーバヘッドをもたらし、無線通信システム内のレイテンシを増加させうる。このため、無線リソースのためのスケジューリング要求を提供する必要なく、送信を可能にする必要性がある。
【発明の概要】
【０００５】
本開示のある態様は、無線通信のための方法を提供する。この方法は一般に、複数のユーザ機器（ＵＥ）による使用のために、共通のコンテンション・ベースのリソースを割り当てることと、このコンテンション・ベースのリソースで複数のＵＥから送られたアップリンク送信を区別するために使用される１または複数の送信パラメータをシグナルすることとを含む。この方法はさらに、コンテンション・ベースのリソースで送られた少なくとも１つのアップリンク送信を受信することと、少なくとも１つのアップリンク送信を、どのＵＥが送ったのかを、１または複数の送信パラメータに基づいて判定することと、を含む。
【０００６】
本開示のある態様は、無線通信のための装置を提供する。この装置は一般に、複数のユーザ機器（ＵＥ）による使用のために、共通のコンテンション・ベースのリソースを割り当てるように構成されたスケジューラ構成要素と、このコンテンション・ベースのリソースで複数のＵＥから送られたアップリンク送信を区別するために使用される１または複数の送信パラメータをシグナルするように構成された送信機構成要素と、を含む。この装置はさらに、コンテンション・ベースのリソースで送られた少なくとも１つのアップリンク送信を受信するように構成された受信機構成要素と、少なくとも１つのアップリンク送信を、どのＵＥが送ったのかを、１または複数の送信パラメータに基づいて判定するように構成されたＵＥ区別構成要素と、を含む。
【０００７】
本開示のある態様は、無線通信のための装置を提供する。この装置は一般に、複数のユーザ機器（ＵＥ）による使用のために、共通のコンテンション・ベースのリソースを割り当てる手段と、このコンテンション・ベースのリソースで複数のＵＥから送られたアップリンク送信を区別するために使用される１または複数の送信パラメータをシグナルする手段と、を含む。この装置はさらに、コンテンション・ベースのリソースで送られた少なくとも１つのアップリンク送信を受信する手段と、少なくとも１つのアップリンク送信を、どのＵＥが送ったのかを、１または複数の送信パラメータに基づいて判定する手段と、を含む。
【０００８】
本開示のある実施形態は、格納された命令群を有するコンピュータ読取可能な媒体を備えるコンピュータ・プログラム製品を提供する。これら命令群は一般に、複数のユーザ機器（ＵＥ）による使用のために、共通のコンテンション・ベースのリソースを割り当てることと、このコンテンション・ベースのリソースで複数のＵＥから送られたアップリンク送信を区別するために使用される１または複数の送信パラメータをシグナルすることと、のために１または複数のプロセッサによって実行可能でありうる。これら命令群はさらに、コンテンション・ベースのリソースで送られた少なくとも１つのアップリンク送信を受信することと、少なくとも１つのアップリンク送信を、どのＵＥが送ったのかを、１または複数の送信パラメータに基づいて判定することと、のために１または複数のプロセッサによって実行可能でありうる。
【図面の簡単な説明】
【０００９】
本開示の上述した特徴が、より詳細に理解される方式で、簡潔に要約された上記具体的な記載が、態様に対する参照によってなされている。そして、それらの幾つかは、添付図面で例示されている。しかしながら、この記載は、その他の等しく有効な態様に対しても適合するので、添付図面は、本開示のある典型的な態様のみを示していることや、この範囲を限定するものとしては考慮されないことが注目されるべきである。
【図１】図１は、多元接続無線通信システムを例示する。
【図２】図２は、通信システムのブロック図である。
【図３】図３は、本明細書に示された技術を実施することが可能な構成要素の例を例示する。
【図４】図４は、本開示のある態様にしたがってアクセス・ポイントによって実行されうる動作の例を例示する。
【図５】図５は、本開示のある態様にしたがう無線システムの例を例示する。
【図６】図６は、本開示のある態様にしたがう無線システムの例を例示する。
【図７】図７は、本開示のある態様にしたがう無線システムの例を例示する。
【発明を実施するための形態】
【００１０】
一般に、基地局は、おのおののＵＥから送信されねばならないデータの量に関する情報に基づいて、ユーザ機器（ＵＥ）間にアップリンク・ラジオ・リソースを割り当てる。ＵＥは、ＵＥのアップリンク送信バッファ内で待機しているデータの量をシグナルするために、バッファ・ステータス・レポート（ＢＳＲ）（単数または複数）を送信しうる。ＵＥは、ＢＳＲを送信するための十分なアップリンク・リソースを割り当てられていない場合、先ず、ＢＳＲを送信するためのリソースを要求するスケジューリング要求（ＳＲ）を基地局へ送信し、割当を受信し、その後、ＢＳＲを送信し始めうる。しかしながら、ＳＲが過剰にあると、遅れの問題が生じ、顕著なシグナリング・オーバヘッドをもたらしうる。したがって、ＵＥが基地局からの事前のスケジューリングを必要とすることなく、アップリンク・データを送信することを可能にする、アップリンク・リソースを割り当てるためのメカニズムが提案されている。コンテンション・ベースのリソースと称されるこれらのラジオ・リソースによって、特に、低いシステム負荷時間中、レイテンシおよびシグナリング・オーバヘッドを低減しながらのアップリンク送信が可能となる。
【００１１】
コンテンション・ベースの送信スキームの下では、基地局は、コンテンション・ベースのリソースの許可を識別するために、ＵＥへコンテンション・ベースのラジオ・ネットワーク・テンポラリ識別子（ＲＮＴＩ）を割り当てうる。ＵＥはその後、これらコンテンション・ベースのＲＮＴＩにアドレスされた基地局によってブロードキャストされた許可を求めて、ダウンリンク制御チャネル（例えば、物理ダウンリンク制御チャネル）をリスンしうる。ブロードキャストされたコンテンション・ベースのＲＮＴＩは、所与のコンテンション・ベースのＲＮＴＩを有するＵＥに対して、基地局へデータを送信するため、示されたアップリンク・データ・リソースへ直ちにアクセスできることを示す。あるいは、基地局は、コンテンション・ベースのリソースの継続的な割り当てを利用しうる。ＵＥが同じコンテンション・ベースのリソースで送信する場合、データ衝突が生じうる。これは、コンテンション・ベースのリソースのスループットを低減する。したがって、シグナリング・オーバヘッドおよびレイテンシを低減させながら、スループットを増加させるように、コンテンション・ベースのアップリンクを管理するための技術に対する要求がある。
【００１２】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「ネットワーク」および「システム」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および低チップ・レート（ＬＣＲ）を含む。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ｃｄｍａ２０００は、「第３世代パートナシップ計画２」（３ＧＰＰ２）と命名された組織からの文書に記載されている。明確化のために、これら技術のある態様は、以下において、ＬＴＥに関して記載されており、ＬＴＥ用語が以下の説明の多くで使用される。
【００１３】
シングル・キャリア周波数分割多元接続（ＳＣ−ＦＤＭＡ）は、単一のキャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において、特に大きな注目を集めている。これは現在、３ＧＰＰロング・ターム・イボリューション（ＬＴＥ）またはイボルブドＵＴＲＡにおけるアップリンク多元接続スキームのための動作前提である。
【００１４】
アクセス・ポイント（“ＡＰ”）は、ノードＢ、ラジオ・ネットワーク・コントローラ（“ＲＮＣ”）、ｅノードＢ、基地局コントローラ（“ＢＳＣ”）、基地トランシーバ局（“ＢＴＳ”）、基地局（“ＢＳ”）、トランシーバ機能（“ＴＦ”）、ラジオ・ルータ、ラジオ・トランシーバ、基本サービス・セット（“ＢＳＳ”）、拡張サービス・セット（“ＥＳＳ”）、ラジオ基地局（“ＲＢＳ”）、または、その他いくつかの用語として知られているか、備えているか、または実現されうる。
【００１５】
アクセス端末（“ＡＴ”）は、アクセス端末、加入者局、加入者ユニット、移動局、遠隔局、遠隔端末、ユーザ端末、ユーザ・エージェント、ユーザ・デバイス、ユーザ機器（“ＵＥ”）、ユーザ局、またはその他いくつかの用語として知られているか、または、実現されうるか、または、備えうる。いくつかの実施において、アクセス端末は、セルラ電話、コードレス電話、セッション開始プロトコル（“ＳＩＰ”）電話、無線ローカル・ループ（“ＷＬＬ”）局、携帯情報端末（“ＰＤＡ”）、無線接続機能を有するハンドヘルド・デバイス、局（“ＳＴＡ”）、あるいは無線モデムに接続されたその他いくつかの適切な処理デバイスを備えうる。したがって、本明細書で教示された１または複数の態様は、電話（例えば、セルラ電話またはスマート・フォン）、コンピュータ（例えば、ラップトップ）、ポータブル通信デバイス、ポータブル・コンピューティング・デバイス（例えば、情報携帯端末）、エンタティメント・デバイス（例えば、音楽またはビデオ・デバイス、または衛星ラジオ）、全地球測位システム・デバイス、あるいは無線媒体または有線媒体によって通信するように構成されたその他任意の適切なデバイスに組み入れられうる。いくつかの態様では、ノードは無線ノードである。このような無線ノードは、例えば、有線または無線による通信リンクによる（例えば、インターネットまたはセルラ・ネットワークのような広域ネットワークのような）ネットワークへの、または、ネットワークのための接続を提供しうる。
【００１６】
図１に示すように、１つの態様にしたがった多元接続無線通信システムが例示される。アクセス・ポイント（ＡＰ）１００は、１つは１０４および１０６を含み、別の１つは１０８および１１０を含み、さらに別の１つは１１２および１１４を含む複数のアンテナ・グループを含む。図１では、おのおののアンテナ・グループについて２本のアンテナしか示されていない。しかしながら、おのおののアンテナ・グループについて、２本より多いまたは少ないアンテナが利用されうる。アクセス端末１１６（ＡＴ）はアンテナ１１２，１１４と通信しており、アンテナ１１２，１１４は、順方向リンク１２０でアクセス端末１１６へ情報を送信し、逆方向リンク１１８でアクセス端末１１６から情報を受信する。アクセス端末１２２は、アンテナ１０６，１０８と通信しており、アンテナ１０６，１０８は、順方向リンク１２６でアクセス端末１２２へ情報を送信し、逆方向リンク１２４でアクセス端末１２２から情報を受信する。ＦＤＤシステムでは、通信リンク１１８，１２０，１２４，１２６は、通信のために、異なる周波数を使用しうる。例えば、順方向リンク１２０は、逆方向リンク１１８によって使用されるものとは異なる周波数を使用しうる。
【００１７】
通信するように設計された領域および／またはアンテナのおのおののグループは、しばしば、アクセス・ポイントのセクタと称される。図１に示す態様では、おのおののアンテナ・グループは、アクセス・ポイント１００によってカバーされる領域のセクタ内のアクセス端末へ通信するように設計される。
【００１８】
順方向リンク１２０および１２６による通信では、アクセス・ポイント１００の送信アンテナは、別のアクセス端末１１６，１２２のための順方向リンクの信号対雑音比（ＳＮＲ）を改善するためにビームフォーミングを利用する。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００１９】
図２は、ＭＩＭＯシステム２００における送信機システム２１０（アクセス・ポイントとしても知られている）および受信機システム２５０（アクセス端末としても知られている）の態様のブロック図である。送信機システム２１０では、多くのデータ・ストリームのトラフィック・データが、データ・ソース２１２から送信（ＴＸ）データ・プロセッサ２１４に提供される。
【００２０】
態様では、データ・ストリームはおのおのの、それぞれの送信アンテナを介して送信される。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００２１】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００２２】
すべてのデータ・ストリームの変調シンボルは、（例えば、ＯＦＤＭのために）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある態様では、ＴＸ  ＭＩＭＯプロセッサ２２０は、データ・ストリームのシンボル、および、このシンボルが送信されるアンテナへ、ビームフォーミング重みを適用する。
【００２３】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００２４】
ある態様によれば、以下にさらに説明されるように、送信機システム２１０は、受信機システム２５０からのアップリンク送信と、その他のアクセス端末からのアップリンク送信とを区別するために使用される１または複数の送信パラメータを、コンテンション・ベースのリソースでシグナルするように構成されうる。
【００２５】
ＲＸデータ・プロセッサ２６０は、検出されたシンボルを、１または複数の送信パラメータを受信するために、復号しうる。ある態様によれば、以下にさらに説明するように、例えばプロセッサ２７０およびＴＸデータ・プロセッサ２３８のような送信機システム２５０のさまざまな構成要素は、コンテンション・ベースのアップリンク送信において用いるための１または複数の送信パラメータを利用しうる。ある態様によれば、送信パラメータは、このアップリンク送信を、他のアクセス端末によって送られたアップリンク送信と区別するために、送信機システム２５０から送られた送信を修正するために利用されうる。例えば、電力制御バイアスを指定する送信パラメータは、指定された電力へ送信するために、送信機２５４ａ乃至２５４ｒによって利用されうる。ある態様によれば、ＴＸデータ・プロセッサ２３８によって受け取られたデータ・ストリームを変調するために、復調基準信号シフトを示す送信パラメータが、変調器２８０によって利用されうる。
【００２６】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００２７】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、このデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものに対して相補的である。
【００２８】
プロセッサ２７０は、上述したように、利用可能などの技術を利用するのかを定期的に決定する。さらに、プロセッサ２７０は、行列インデクス部およびランク値部を備えた逆方向リンク・メッセージを規定する。これら逆方向リンク・メッセージは、通信リンクおよび／または受信データ・ストリームに関するさまざまなタイプの情報を備えうる。逆方向リンク・メッセージはその後、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００２９】
ある態様によれば、ＲＸデータ・プロセッサ２６０は、１または複数の送信パラメータを受信するために、検出されたシンボルを復号しうる。ある態様によれば、以下にさらに説明されるように、例えばプロセッサ２７０およびＴＸデータ・プロセッサ２３８のような受信機システム２５０のさまざまな構成要素は、コンテンション・ベースのアップリンク送信における使用のために、１または複数の送信パラメータを利用しうる。ある態様によれば、送信パラメータは、このアップリンク送信を、他のアクセス端末によって送られたアップリンク送信と区別するために、受信機システム２５０から送られた送信を修正するために利用されうる。例えば、電力制御バイアスを指定する送信パラメータは、指定された電力へ送信するために、送信機２５４ａ乃至２５４ｒによって利用されうる。ある態様によれば、ＴＸデータ・プロセッサ２３８によって受け取られたデータ・ストリームを変調するために、復調基準信号シフトを示す送信パラメータが、変調器２８０によって利用されうる。
【００３０】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。さらに、プロセッサ２３０は、ビームフォーミング重みを決定するためにどのプリコーディング行列を使用するかを決定し、この抽出されたメッセージを処理する。
【００３１】
ある態様によれば、プロセッサ２３０およびＲＸデータ・プロセッサ２４２は、以下にさらに説明されるように、受信機システムへシグナルされた送信パラメータに基づいて、どのアクセス端末がアップリンク送信を送ったのかを判定しうる。
【００３２】
論理チャネルは、制御チャネルとトラフィック・チャネルとに分類されることが一般に理解される。論理制御チャネルは、システム制御情報をブロードキャストするためのダウンリンク（ＤＬ）チャネルであるブロードキャスト制御チャネル（ＢＣＣＨ）と、ページング情報を転送するＤＬチャネルであるページング制御チャネル（ＰＣＣＨ）と、１またはいくつかのＭＴＣＨのためのマルチメディア・ブロードキャストおよびマルチキャスト・サービス（ＭＢＭＳ）スケジューリングおよび制御情報を送信するために使用されるポイント・トゥ・マルチポイントＤＬチャネルであるマルチキャスト制御チャネル（ＭＣＣＨ）とを備える。一般に、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、専用制御情報を送信するポイント・トゥ・ポイント双方向チャネルであり、ＲＲＣ接続を有するＵＥによって使用される。態様では、論理トラフィック・チャネルは、ユーザ情報の転送のために１つのＵＥに専用のポイント・トゥ・ポイント双方向チャネルである専用トラフィック・チャネル（ＤＴＣＨ）を備える。また、マルチキャスト・トラフィック・チャネル（ＭＴＣＨ）は、トラフィック・データを送信するためのポイント・トゥ・マルチポイントＤＬチャネルである。
【００３３】
伝送チャネルは、ＤＬとＵＬに分類されることがさらに理解される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされ、他の制御／トラフィック・チャネルのために使用されうるＰＨＹリソースへマップされることによって、ＵＥの節電をサポートする（例えば、ＤＲＸサイクルが、ネットワークによってＵＥへ示されうる等）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。
【００３４】
ＰＨＹチャネルは、ＤＬチャネルとＵＬチャネルとのセットを備える。
【００３５】
ＤＬ  ＰＨＹチャネルは、  
共通パイロット・チャネル（ＣＰＩＣＨ）  
同期チャネル（ＳＣＨ）  
共通制御チャネル（ＣＣＣＨ）  
共有ＤＬ制御チャネル（ＳＤＣＣＨ）  
マルチキャスト制御チャネル（ＭＣＣＨ）  
共有ＵＬ割当チャネル（ＳＵＡＣＨ）  
アクノレッジメント・チャネル（ＡＣＫＣＨ）  
ＤＬ物理共有データ・チャネル（ＤＬ−ＰＳＤＣＨ）  
ＵＬ電力制御チャネル（ＵＰＣＣＨ）  
ページング・インジケータ・チャネル（ＰＩＣＨ）  
負荷インジケータ・チャネル（ＬＩＣＨ）  
を備える。
【００３６】
ＵＬ  ＰＨＹチャネルは、  
物理ランダム・アクセス・チャネル（ＰＲＡＣＨ）  
チャネル品質インジケータ・チャネル（ＣＱＩＣＨ）  
アクノレッジメント・チャネル（ＡＣＫＣＨ）  
アンテナ・サブセット・インジケータ・チャネル（ＡＳＩＣＨ）  
共有要求チャネル（ＳＲＥＱＣＨ）  
ＵＬ物理共有データ・チャネル（ＵＬ−ＰＳＤＣＨ）  
ブロードキャスト・パイロット・チャネル（ＢＰＩＣＨ）  
を備える。
【００３７】
本書の目的のために、以下の略語を適用する。  
ＡＣＫ        アクノレッジメント  
ＡＭ          アクノレッジ・モード  
ＡＭＤ        アクノレッジ・モード・データ  
ＡＲＱ        自動反復要求  
ＢＣＣＨ      ブロードキャスト制御チャネル  
ＢＣＨ        ブロードキャスト・チャネル  
ＢＷ          帯域幅  
Ｃ−          制御−  
ＣＢ          コンテンション・ベース  
ＣＣＥ        制御チャンネル要素  
ＣＣＣＨ      共通制御チャネル  
ＣＣＨ        制御チャネル  
ＣＣＴｒＣＨ  符号化された合成伝送チャネル  
ＣＤＭ        符号分割多重  
ＣＦ          コンテンション・フリー  
ＣＰ          サイクリック・プレフィクス  
ＣＱＩ        チャネル品質インジケータ  
ＣＲＣ        巡回冗長検査  
ＣＲＳ        共通基準信号  
ＣＴＣＨ      共通トラフィック・チャネル  
ＤＣＣＨ      専用制御チャネル  
ＤＣＨ        専用チャネル  
ＤＣＩ        ダウンリンク制御情報  
ＤＬ          ダウンリンク  
ＤＲＳ        専用基準信号  
ＤＳＣＨ      ダウンリンク共有チャネル  
ＤＳＰ        デジタル信号プロセッサ  
ＤＴＣＨ      専用トラフィック・チャネル  
Ｅ−ＣＩＤ    エンハンスト・セル識別情報  
ＥＰＳ        イボルブド・パケット・システム  
ＦＡＣＨ      順方向リンク・アクセス・チャネル  
ＦＤＤ        周波数分割デュプレクス  
ＦＤＭ        周波数分割多重  
ＦＳＴＤ      周波数切換送信ダイバーシティ  
ＨＡＲＱ      ハイブリッド自動反復／要求  
ＨＷ          ハードウェア  
ＩＣ          干渉除去  
Ｌ１          レイヤ１（物理レイヤ）  
Ｌ２          レイヤ２（データ・リンク・レイヤ）  
Ｌ３          レイヤ３（ネットワーク・レイヤ）  
ＬＩ          長さインジケータ  
ＬＬＲ        ログ尤度比  
ＬＳＢ        最下位ビット  
ＭＡＣ        媒体アクセス制御  
ＭＢＭＳ      マルチメディア・ブロードキャスト・マルチキャスト・サービス  
ＭＣＣＨ      ＭＢＭＳポイント・トゥ・マルチポイント制御チャネル  
ＭＭＳＥ      最小平均平方誤差  
ＭＲＷ        動き受信ウィンドウ  
ＭＳＢ        最上位ビット  
ＭＳＣＨ      ＭＢＭＳポイント・トゥ・マルチポイント・スケジューリング・チャネル  
ＭＴＣＨ      ＭＢＭＳポイント・トゥ・マルチポイント・トラフィック・チャネル  
ＮＡＣＫ      非アクノレッジメント  
ＰＡ          電力増幅器  
ＰＢＣＨ      物理ブロードキャスト・チャネル  
ＰＣＣＨ      ページング制御チャネル  
ＰＣＨ        ページング・チャネル  
ＰＣＩ        物理セル識別子  
ＰＤＣＣＨ    物理ダウンリンク制御チャネル  
ＰＤＵ        プロトコル・データ・ユニット  
ＰＨＩＣＨ    物理ＨＡＲＱインジケータ・チャネル  
ＰＨＹ        物理レイヤ  
ＰｈｙＣＨ    物理チャネル  
ＰＭＩ        プリコーディング行列インジケータ  
ＰＲＡＣＨ    物理ランダム・アクセス・チャネル  
ＰＳＳ        一次同期信号  
ＰＵＣＣＨ    物理アップリンク制御チャネル  
ＰＵＳＣＨ    物理アップリンク共有チャネル  
ＱｏＳ        サービス品質  
ＲＡＣＨ      ランダム・アクセス・チャネル  
ＲＢ          リソース・ブロック  
ＲＬＣ        ラジオ・リンク制御  
ＲＲＣ        ラジオ・リソース制御  
ＲＥ          リソース要素  
ＲＩ          ランク・インジケータ  
ＲＮＴＩ      ラジオ・ネットワーク・テンポラリ識別子  
ＲＳ          基準信号  
ＲＴＴ        往復時間  
Ｒｘ          受信  
ＳＡＰ        サービス・アクセス・ポイント  
ＳＤＵ        サービス・データ・ユニット  
ＳＦＢＣ      空間周波数ブロック符号  
ＳＨＣＣＨ    共有チャネル制御チャネル  
ＳＩＮＲ      信号対干渉および雑音比  
ＳＮ          シーケンス番号  
ＳＲ          スケジューリング要求  
ＳＲＳ        サウンディング基準信号  
ＳＳＳ        二次同期信号  
ＳＵ−ＭＩＭＯ  単一ユーザ複数入力複数出力  
ＳＵＦＩ      スーパ・フィールド  
ＳＷ          ソフトウェア  
ＴＡ          タイミング先行  
ＴＣＨ        トラフィック・チャネル  
ＴＤＤ        時分割デュプレクス  
ＴＤＭ        時分割多重  
ＴＦＩ        伝送フォーマット・インジケータ  
ＴＰＣ        送信電力制御  
ＴＴＩ        送信時間インタバル  
Ｔｘ          送信  
Ｕ−          ユーザ−  
ＵＥ          ユーザ機器  
ＵＬ          アップリンク  
ＵＭ          非アクノレッジ・モード  
ＵＭＤ        非アクノレッジ・モード・データ  
ＵＭＴＳ      ユニバーサル・モバイル通信システム  
ＵＴＲＡ      ＵＭＴＳ地上ラジオ・アクセス  
ＵＴＲＡＮ    ＵＭＴＳ地上ラジオ・アクセス・ネットワーク  
ＶＯＩＰ      ボイス・オーバ・インターネット・プロトコル  
ＭＢＳＦＮ    マルチキャスト・ブロードキャスト単一周波数ネットワーク  
ＭＣＨ        マルチキャスト・チャネル  
ＤＬ−ＳＣＨ  ダウンリンク共有チャネル  
ＰＤＣＣＨ    物理ダウンリンク制御チャネル  
ＰＤＳＣＨ    物理ダウンリンク共有チャネル
（コンテンションに基づいたアップリンク共有通信）  
ある態様によれば、進化した受信機を用いる可能性によって、アップリンク送信における高いスループットを可能にする、コンテンション・ベースの送信スキームが提供される。ある態様によれば、基地局は、複数のＵＥに、コンテンション・ベースのリソースを割り当てうる。コンテンション・ベースのリソースは、例えば物理アップリンク共有チャネル（ＰＵＳＣＨ）のような物理アップリンク・データ・チャネルの一部でありうる。コンテンション・ベースの割り当ては、継続的、半固定的、または動的でありうる。ある態様によれば、基地局は、コンテンション・ベースのリソースの設定および割当中に、送信パラメータを提供しうる。基地局は、コンテンション・ベースのリソースで複数のＵＥから送られたアップリンク送信を区別するために、送信パラメータを利用し、どのＵＥがどのアップリンク送信を送ったのかを判定しうる。
【００３８】
図３は、共通のコンテンション・ベースのリソースを共有するＵＥからの送信を区別するために、本明細書に記載された技術を実行することが可能な無線システムの例を例示する。例示されるように、無線システムは、複数のＵＥ３１０１乃至３１０Ｎと通信する基地局３００を含みうる。明確化のために、本開示のある対応は、ＵＥ３１０１に関連して説明されているが、ある態様は、同様に、複数のＵＥ３１０１乃至３１０Ｎのうちの他のＵＥに対しても適合しうることが理解される。
【００３９】
ある態様によれば、基地局３００は、ＵＥ３１０１によって使用される共通のコンテンション・ベースのリソースを割り当てるスケジューラ構成要素３０４を含みうる。例示されるように、スケジューラ構成要素３０４は、複数のＵＥ３１０１乃至３１０Ｎにシグナルするために、（“ＴＸ  ＰＡＲＡＭ”のような）１または複数の送信パラメータを送信機構成要素３０２へ提供しうる。１または複数の送信パラメータは、コンテンション・ベースのリソースで複数のＵＥから送られたアップリンクを後に区別するために、基地局３００によって使用されうる。ある態様によれば、送信パラメータは、コンテンション・ベースのリソースにおけるアップリンク送信のために、ＵＥによって使用される送信電力を変化させうる。ある態様によれば、送信パラメータは、コンテンション・ベースのリソースにおけるアップリンク送信で使用するために、ＵＥに割り当てられた特定の復調基準信号（ＤＭ−ＲＳ）シフトでありうる。
【００４０】
例示されるように、ＵＥ３１０１は、基地局３００から１または複数の送信パラメータを受信する受信機構成要素３１２を含んでいる。送信パラメータは、例えば、所与の送信電力を用いて、または特定のＤＭ−ＲＳ信号を用いて、ＵＥ３１０１がコンテンション・ベースのリソースでどのようにして送信するのかを制御するために、ＵＥによって使用されうる。例示されるように、受信機構成要素３１２は、１または複数の送信パラメータを、コンテンション・ベースのプロセッサ構成要素３１４へ提供する。このプロセッサ構成要素３１４は、コンテンション・ベースのリソースでのアップリンク送信のために、コンテンション・ベースのメッセージを生成する。例示されるように、コンテンション・ベースのプロセッサ構成要素３１４は、コンテンション・ベースのリソースを利用する基地局３００へのアップリンク送信のために、送信パラメータおよびコンテンション・ベースのメッセージを送信機構成要素３１６へ提供する。ある態様によれば、送信機構成要素３１６は、コンテンション・ベースのメッセージを、コンテンション・ベースのリソースで、高電力で送信するための電力制御バイアスを示す送信パラメータを利用しうる。ある態様によれば、送信機構成要素３１６は、コンテンション・ベースのリソースで、特定のＤＭ−ＲＳシーケンスを用いてコンテンション・ベースのメッセージを送信するためのＤＭ−ＲＳシフトを示す送信パラメータを利用しうる。
【００４１】
例示されるように、基地局３００の受信機構成要素３０８は、コンテンションをベースのリソースでアップリンク送信を受信し、ＵＥ区別構成要素３０６にアップリンク送信を提供する。ＵＥ区分構成要素３０６は、例示されるように、スケジューラ構成要素３０４によってＵＥ区別構成要素３０６に提供されうる１または複数の送信パラメータに基づいて、どのＵＥがアップリンク送信を送ったのかを判定する。ある態様によれば、基地局３００は、受信したアップリンク送信の送信電力を、電力制御バイアスを特定のＵＥへ割り当てる送信パラメータと比較して、アップリンク送信が特定のＵＥによって送られたことを判定する。ある態様によれば、基地局３００は、アップリンク送信が特定のＵＥから送られたことを判定するために、特定のＵＥへの送信パラメータによって割り当てられたＤＭ−ＲＳシーケンスで受信したアップリンク送信を復号することを試みうる。
【００４２】
図４は、本開示のある態様にしたがってコンテンション・ベースのリソースを管理するために基地局によって実行されうる動作４００の例を例示する。動作４００は、４０２において始まり、ここでは、基地局が、複数のＵＥによる使用に共通のコンテンション・ベースのリソースを割り当てうる。ある態様によれば、コンテンション・ベースのリソースは、例えばＰＵＳＣＨのような物理アップリンク・データ・チャネルのラジオ・リソースでありうる。ある態様によれば、基地局は、物理ダウンリンク制御チャネル（ＰＤＣＣＨ）で、複数のＵＥに、コンテンション・ベースのリソースを割り当てうる。
【００４３】
４０４では、基地局は、コンテンション・ベースのリソースで複数のＵＥから送られたアップリンク送信を区別するために使用される１または複数の送信パラメータをシグナルしうる。コンテンション・ベースのリソースが構成された場合、送信パラメータが、複数のＵＥに与えられうる。ある態様によれば、送信パラメータは、例えば、コール確立中、または、ラジオ・リソース制御（ＲＲＣ）設定中のように、レイヤ３シグナリングを用いてシグナルされうる。ある態様によれば、基地局は、コンテンション・ベースのリソースの割り当てを用いて、ＰＤＣＣＨで、複数のＵＥへ送信パラメータをシグナルしうる。
【００４４】
４０６では、基地局が、コンテンション・ベースのリソースで送られた少なくとも１つのアップリンク送信を受信する。ある態様によれば、複数のアップリンク送信が、コンテンション・ベースのリソースによって、複数のＵＥから受信されうる。アップリンク送信を適切に処理するために、基地局は、アップリンク送信の各々の送信元を判定しうる。
【００４５】
４０８では、少なくとも１つのアップリンク送信を、どのＵＥが送ったのかを、基地局が、１または複数の送信パラメータに基づいて判定しうる。例えば、ある態様によれば、基地局は、対応する受信電力に基づいて、どのＵＥがアップリンク送信を送ったのかを判定しうる。ある態様によれば、基地局は、アップリンク送信を正しく復調するために使用された信号ＤＭ−ＲＳシフトに基づいて、どのＵＥがアップリンク送信を送ったのかを判定しうる。
【００４６】
図５−７は、本開示のある実施形態が実現されうる無線システム５００の例を示す。例示されるように、システム５００は、複数のＵＥ５０４と通信する基地局５０２を含んでいる。基地局５０２は、コンテンション・ベースのリソースで複数のＵＥ５０４から送られたアップリンク送信を区別するために使用されるべき１または複数の送信パラメータを、複数のＵＥ５０４へシグナルしうる。
【００４７】
図５に例示されるように、ある態様によれば、基地局５０２は、ＵＥが他のＵＥと比較して高い電力で送信すべきであることを示す少なくとも１つの電力制御バイアスを含む送信パラメータを、複数のＵＥ５０４のうちの少なくとも１つへシグナルしうる。基地局５０２は、複数のＵＥ５０４のすべてに電力制御バイアスを送信しているように例示されているが、基地局５０２は、複数のＵＥ５０４のうちの唯一のＵＥへ、または、すべてのＵＥよりも少ないＵＥへ、電力制御バイアスを送信しうることが理解される。基地局５０２は、複数のＵＥ５０４のおのおのへ特定の電力制御バイアスを、複数のＵＥのサブセットへ共通の電力制御バイアスを、または、これらの組み合わせを送信しうることがさらに注目される。コンテンション・ベースのリソースにおける高電力でのＵＥによるアップリンク送信は、他のＵＥによる低電力によるアップリンク送信よりも、基地局５０２によって正しく受信される可能性が高いであろうから、複数のＵＥが、コンテンション・ベースのリソースの利用を試みているにも関わらず、少なくとも１つのＵＥが、正しく受信されるようになる。一方、従来の構成では、複数のＵＥは、コンテンション・ベースのリソースで同時に送信するように指示されうる。この結果、送信を持つどのＵＥも、正しく受信されなくなる。このため、本明細書に記載されたある態様にしたがう技術は、従来の構成と比較された場合、有利なことに、コンテンション・ベースのリソースにおいて、より高いスループットをもたらしうる。
【００４８】
基地局５０２は、さまざまな要因に基づいて、所与のＵＥのための電力制御バイアスを決定しうる。ある態様によれば、基地局５０２は、ＵＥのためのサービス品質（ＱｏＳ）に基づいて、電力制御バイアスを決定しうる。ある態様によれば、基地局５０２は、どの単一のＵＥも高電力帯域幅を独占しないことを保証するために、公平ヒューリスティックに基づいて、ＵＥのための電力制御バイアスを決定しうる。例えば、基地局５０２は、複数のＵＥ５０４のおのおのへの高電力制御バイアスの割り当てを、経時的に平等に分配しうる。
【００４９】
図６に例示されるように、ある態様によれば、基地局５０２は、基地局５０２において、予め決定された信号対雑音および干渉比（ＳＮＩＲ）を目標とするように選択された電力クラスへの割当を、複数のＵＥへシグナルしうる。ある態様によれば、基地局５０２は、複数のＵＥ５０４を、コンテンション・ベースのアクセスのための電力クラスへ区分しうる。例えば、基地局５０２は、複数のＵＥ５０４からなる第１のサブセットを高電力クラスに割り当て、複数のＵＥ５０４からなる第２のサブセットを低電力クラスに割り当てうる。ある態様によれば、高電力クラスのＵＥは、基地局の受信機における、より高い信号対雑音および干渉比（ＳＩＮＲ）を目標としうる。低電力クラスのＵＥは、基地局の受信機における、より低いＳＩＮＲを目標としうる。ある態様によれば、電力クラスの割り当ては、時間とともに暗黙的に変化しうる。
【００５０】
図７に例示されるように、ある態様によれば、基地局５０２は、複数のＵＥのうちの少なくとも１つのＵＥへ割り当てられたＤＭ−ＲＳのために、サイクリック・シフトをシグナルしうる。ＤＭ−ＲＳは、一般に、基地局５０２がアップリンク送信をコヒーレントに復調することを可能とするために、アップリンク・データ送信によって経験されたアップリンク・チャネルの推定値を提供する。ある態様によれば、ＤＭ−ＲＳシフトは、基地局５０２によっておのおののＵＥへ割り当てられた、基準信号（ＲＳ）のシグニチャ・シーケンスを備えうる。コンテンション・ベースのリソースが構成された場合、基地局は、ＵＥにＤＭ−ＲＳシフトを割り当てうる。さらに、ＤＭ−ＲＳシフトは、本明細書に記載されるように、コンテンション・ベースのアップリンク許可で複数のＵＥへブロードキャストされうる第２のＤＭ−ＲＳシフトに加えられうる。ある態様によれば、ＤＭ−ＲＳシフトは、時間とともに暗黙的に変化しうる。例えば、基地局５０２は、ランダム分布にしたがって、ＵＥに異なるＤＭ−ＲＳシフトを割り当てうる。
【００５１】
ある態様によれば、複数のＵＥ５０４が、コンテンション・ベースのリソースで送信する場合、基地局５０２は、複数のＲＳパターンを検出し、これらＲＳパターンのうちの１つを用いて第１のアップリンク送信を復号し、信号を除去し、これらＲＳパターンのうちの別の１つを用いて、第２のアップリンク送信を復号しうる。したがって、本開示のある態様は、複数のＵＥが同時にコンテンション・ベースのリソースを用いる場合であっても、より高い可能性を可能にすることによって、より高いスループットを提供し、ＲＳのために異なるシグニチャ・シーケンスを用いることによって、基地局５０２は、別のアップリンク送信を検出および復号することが可能となりうる。
【００５２】
本開示のある態様は、コンテンション・ベースのリソースを用いて、フィードバックおよびアクノレッジメント（つまり、ＨＡＲＱ）を提供する。ある態様によれば、基地局は、複数のＤＭ−ＲＳパターンを複数のＵＥへ割り当てうる。そして、ＵＥから受信した仮説的な以前の送信を結合することをブラインド方式で試みうる。例えば、基地局は、第１のＤＭ−ＲＳパターンを用いてＵＥからの第１のアップリンク送信を復号することを試みうるが、復号時に失敗することがありうる。その後、基地局は、前のアップリンク送信に割り当てられるべきであると基地局によって知られている第２のＤＭ−ＲＳパターンを用いて、この送信を復号することを試みうる。したがって、本開示のある態様は、有利なことに、コンテンション・ベースのリソースによって送られたアップリンク送信を復号するための複数の機会を提供する。
【００５３】
上述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。例えば、シグナルする手段、または、送信する手段は、例えば、図２に示される送信機システム２１０（例えば、アクセス・ポイント）の送信機ユニット２２２のような送信機を備えうる。受信する手段は、例えば、図２に示される送信機システム２１０の受信機ユニット２２２のような受信機を備えうる。割り付ける手段、判定する手段、および／または、割り当てる手段は、例えば、図２に例示される送信機システム２１０のプロセッサ２３０または受信機システム２５０のプロセッサ２７０のような１または複数のプロセッサを含みる処理システムを備えうる。これらの手段は、図３の送信機構成要素３０２、スケジューラ構成要素３０４、ＵＥ区分構成要素３０６、および受信機構成要素３０８の任意の適切な組み合わせを備えうる。
【００５４】
当業者であれば、情報および信号は、さまざまな異なる技術および技法のうちの何れかを用いて表されうることを理解するであろう。例えば、前述された説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００５５】
当業者であればさらに、本明細書で開示された態様に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、それらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００５６】
本明細書で開示された態様に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代わりに、従来技術によるプロセッサ、コントローラ、マイクロコントローラ、あるいは順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００５７】
本明細書で開示された態様に関連して記述された方法やアルゴリズムのステップは、ハードウェアによって直接的に、プロセッサによって実行されるソフトウェア・モジュールによって、または、これらの組み合わせによって具体化される。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００５８】
開示された態様の上記説明は、いかなる当業者であっても、本開示を製造または使用できるように適用される。これらの態様へのさまざまな変形は、当業者に容易に明らかであって、本明細書で定義された一般原理は、本開示の精神または範囲から逸脱することなく、他の態様に適用されうる。このように、本開示は、本明細書で示された態様に限定されるものではなく、本明細書で開示された原理および新規な特徴に一致した最も広い範囲に相当することが意図されている。
【図１】
2013526185.tif 000003
【図２】
2013526185.tif 000004
【図３】
2013526185.tif 000005
【図４】
2013526185.tif 000006
【図５】
2013526185.tif 000007
【図６】
2013526185.tif 000008
【図７】
2013526185.tif 000009
【国際調査報告】
2013526185.tif 000010
2013526185.tif 000011